(57)【要約】【課題】表示体を所望の形状にすることが可能な表示装置を提供する。【解決手段】対向する第１面および第２面を有する可撓性の板部材と、前記板部材の第１面に設けられ、前記第１面において一方向に延在する枠部材と、前記板部材の第２面側に配置された可撓性の表示体とを備えた表示装置。【選択図】図７
2013257385.tif 000002
【特許請求の範囲】
【請求項１】
対向する第１面および第２面を有する可撓性の板部材と、
前記板部材の第１面に設けられ、前記第１面において一方向に延在する枠部材と、
前記板部材の第２面側に配置された可撓性の表示体と
を備えた表示装置。
【請求項２】
前記枠部材の延在方向とは異なる方向に伸設された補強構造を備えた
請求項１記載の表示装置。
【請求項３】
前記補強構造は、前記枠部材の延在方向の両端部に配置されている
請求項２記載の表示装置。
【請求項４】
前記板部材は、前記補強構造として、前記枠部材の延在方向とは異なる方向に伸びる第１の凸条を有する
請求項２記載の表示装置。
【請求項５】
前記表示体は、液晶パネルと、前記液晶パネルを照明する光源と、前記光源の近傍の放熱板とを有し、
前記放熱板は、前記補強構造を兼ねている
請求項２記載の表示装置。
【請求項６】
前記板部材は、前記枠部材の延在方向において、前記枠部材の前記板部材に対向する辺または面の形状と同じ形状を有し、
前記表示体は、前記板部材と同じ形状を有している
請求項１記載の表示装置。
【請求項７】
前記枠部材の前記板部材に対向する辺または面は、前記枠部材の延在方向において全部または一部が湾曲している
請求項６記載の表示装置。
【請求項８】
前記枠部材の前記板部材に対向する辺または面は、前記枠部材の延在方向において局所的に曲率が異なる
請求項７記載の表示装置。
【請求項９】
前記枠部材の前記板部材に対向する辺または面は、前記枠部材の延在方向において多角形の一部をなす形状を有している
請求項６記載の表示装置。
【請求項１０】
前記板部材は、互いに平行な複数の第２の凸条を有し、前記複数の第２の凸条は、前記枠部材の延在方向とは異なる方向に伸びると共に、前記枠部材の延在方向に配列されている
請求項１記載の表示装置。
【発明の詳細な説明】
【技術分野】
【０００１】
本開示は、大型テレビジョン装置等に好適な表示装置に関する。
【背景技術】
【０００２】
表示装置の画面は一般に平面とされているが、円弧状に湾曲変形させることも提案されている。例えば、特許文献１では、表示体の右側の側板にネジ軸を貫通させる一方、左側の側板に円筒棒を固定し、操作ネジを回転させてネジ軸の先端を円筒棒の中に進入させることにより、表示体の左右の側板を互いに近づけ、それに伴って表示体を湾曲変形させることが記載されている。
【先行技術文献】
【特許文献】
【０００３】
【特許文献１】特開２００５−３３１８７２号公報
【発明の概要】
【発明が解決しようとする課題】
【０００４】
しかしながら、表示体には回路や表示素子などのさまざまな構造物が設けられており、表示体の剛性は必ずしも表示画面内で一様ではない。そのため、特許文献１に記載されたように単に表示体の左右の側板を互いに近づけるだけでは、表示体に座屈が生じてしまい、画質劣化の原因となるおそれがあった。
【０００５】
本開示はかかる問題点に鑑みてなされたもので、その目的は、表示体を所望の形状にすることが可能な表示装置を提供することにある。
【課題を解決するための手段】
【０００６】
本開示の表示装置は、対向する第１面および第２面を有する可撓性の板部材と、板部材の第１面に設けられ、第１面において一方向に延在する枠部材と、板部材の第２面側に配置された可撓性の表示体とを備えたものである。
【０００７】
本開示の表示装置では、可撓性の板部材の第１面に、枠部材が設けられている。枠部材は、板部材の第１面内で一方向に延在している。板部材の第２面側には、可撓性の表示体が配置されている。よって、板部材は、枠部材の延在方向において、枠部材の板部材に対向する辺または面の形状と同じ形状を有し、表示体は、板部材に倣った形状を有している。例えば、枠部材の板部材に対向する辺または面を、枠部材の延在方向において湾曲または屈曲した形状とすれば、板部材の形状もこれに従って湾曲または屈曲した形状となり、表示体も板部材に倣って湾曲または屈曲した形状を呈する。
【発明の効果】
【０００８】
本開示の表示装置によれば、可撓性の板部材の第１面に、一方向に延在する枠部材を設け、板部材の第２面側に、可撓性の表示体を配置するようにしている。よって、枠部材の板部材に対向する辺または面の形状を調整することにより、板部材および表示体を所望の形状にすることが可能となる。
【図面の簡単な説明】
【０００９】
【図１】本開示の実施の形態に係る表示装置の前面側から見た外観の一例を表す斜視図である。
【図２】図１に示した表示装置の背面側から見た外観の一例を表す斜視図である。
【図３】図１に示した液晶パネルの中央部における内部構成の一例を表す断面図である。
【図４】図１に示した液晶パネルの湾曲形状の一例を表す上面図である。
【図５】図１に示した表示装置から前記外装部材および後部外装部材を取り外して、背面側から見た構成の一例を表す背面図である。
【図６】図５に示した板部材および枠部材を背面側から見た構成の一例を表す斜視図である。
【図７】枠部材，板部材および液晶パネルの形状の一例を表す上面図である。
【図８】図６に示した枠部材を前方から見た構成の一例を表す斜視図である。
【図９】図８に示した枠部材の一例を表す上面図である。
【図１０】図６に示した板部材を背面側から見た構成の一例を表す斜視図である。
【図１１】図１０に示した第２の凸条の作用を説明するための斜視図である。
【図１２】図１０に示した第１の凸条の近傍における液晶パネルの内部構成の一例を表す断面図である。
【図１３】図１に示した表示装置における表示状態の一例を模式的に表す正面図である。
【図１４】変形例１に係る枠部材，板部材および液晶パネルの形状の一例を表す上面図である。
【図１５】枠部材，板部材および液晶パネルの形状の他の例を表す上面図である。
【図１６】枠部材，板部材および液晶パネルの形状の更に他の例を表す上面図である。
【図１７】枠部材，板部材および液晶パネルの形状の更に他の例を表す上面図である。
【図１８】枠部材，板部材および液晶パネルの形状の更に他の例を表す上面図である。
【図１９】変形例２に係る表示装置の有機ＥＬパネルの中央部における内部構成の一例を表す断面図である。
【図２０】図８に示した枠部材の変形例を表す斜視図である。
【図２１】図２０に示した枠部材の一例を表す上面図である。
【発明を実施するための形態】
【００１０】
以下、本開示の実施の形態について図面を参照して詳細に説明する。なお、説明は以下の順序で行う。
１．実施の形態（液晶表示装置の例）
２．変形例１（可変機構および枠部材５０，板部材４０および液晶パネル１１の形状の変形例）
３．変形例２（有機ＥＬ表示装置の例）
【００１１】
図１は、本発明の一実施の形態に係る表示装置を前面側から見た外観を表し、図２は、この表示装置を背面側からみた外観を表したものである。この表示装置１は、例えばテレビジョン装置として用いられるものであり、画像表示のための平板状の本体部１０をスタンド２０Ａ，２０Ｂ（以下、スタンド２０と総称する。）により支持した構成を有している。なお、表示装置１は、スタンド２０を本体部１０に取り付けた状態で、床，棚または台などの水平面に載置して据置型として用いられるが、スタンド２０を本体部１０から取り外した状態で壁掛型として用いることも可能である。
【００１２】
本明細書において、本体部１０の前後方向をＺ方向、本体部１０の主面（最も広い面）において左右方向をＸ方向、上下方向をＹ方向という。
【００１３】
本体部１０は、表示体として、例えば、液晶パネル１１を有している。本体部１０の左右端には、後述するスピーカを遮蔽するための前部外装部材１２が取り付けられている。液晶パネル１１および前部外装部材１２の上下辺には、化粧部材（フロントベゼル）１３が被せられている。本体部１０の背面は、後部外装部材（リアカバー）１４により覆われている。
【００１４】
図３は、図１に示した液晶パネル１１の中央部における内部構成を表したものであり、Ｙ方向に平行な断面を表している。液晶パネル１１は、Ｚ方向前方から後方に向かって、前部筐体（トップシャーシ）３１，液晶セル３２，中間筐体（ミドルシャーシ）３３，光学シート３４，導光板３５および反射板３６を、この順に有している。なお、反射板３６の後ろには、後述する板部材４０が設けられている。
【００１５】
前部筐体３１は、液晶パネル１１の前面周縁部を覆う枠状の金属部品である。液晶セル３２は、例えば、ガラス等の二枚の基板３２Ａ，３２Ｂの間に液晶層（図示せず）を封止した構成を有している。液晶セル３２は、例えばソースドライバ、ソース基板３２Ｄを備えている。中間筐体３３は、液晶セル３２および光学シート３４を保持する枠状の樹脂部品である。光学シート３４は、例えば、拡散板，拡散シート，レンズフィルム，偏光分離シートなどを含んでいる。導光板３５は、光源（図示せず）からの光を液晶パネル１１側へと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。反射部材３６は、導光板３４の裏側へ出射してきた光を導光板３４へ向けて戻すものであり、発泡ＰＥＴ（ポリエチレンテレフタレート），銀蒸着フィルム，多層膜反射フィルム，または白色ＰＥＴなどの板状またはシート状部材である。
【００１６】
液晶パネル１１の主要な構成要素（枠状部品および基板類を除く）、すなわち液晶セル３２，光学シート３４，導光板３５および反射板３６は、いずれもガラスまたは樹脂よりなる薄い板状またはシート状の可撓性部材により構成されている。従って、液晶パネル１１は全体として可撓性を有している。
【００１７】
図１に示した液晶パネル１１は、一次元方向（Ｘ方向）に円弧状に湾曲している。具体的には、液晶パネル１１は、例えば図４に示したように、後方（背面側）に凸に湾曲していることが望ましい。このようにすることにより、液晶パネル１１を前方正面から見たときの形状において、中央部が左右部よりもゆるやかに細くなる（図１４参照。）ので、遠近法の視覚効果により一体感・没入感を生み出すことが可能となる。
【００１８】
また、液晶パネル１１の湾曲形状は、Ｙ方向においては一様であることが好ましい。Ｙ方向において曲率が変化している場合には、液晶パネル１１に局所的にひねりが入り、液晶パネル１１が損傷を受けたり、表示不良を招いたりするおそれがあるからである。
【００１９】
図１および図２に示したスタンド２０は、例えば、本体部１０の左右の下部に設けられていることが好ましい。その理由は以下の通りである。液晶パネル１１が後方に凸に湾曲している場合には、本体部１０の重心の位置に対して、左右端の位置が前方に来るため、スタンド２０が本体部１０によって隠され、液晶パネル１１が平坦な場合に比べて、スタンド２０の本体部１０の前方へのはみ出しを目立たなくさせることが可能となる。また、後述するように本体部１０の左右端にはスピーカが配置されているので、本体部１０の左右の下部に敷設されたスタンド２０によって、スピーカを確実に支持することが可能となる。
【００２０】
なお、スタンド２０は、本体部１０の左右の下部に限らず、本体部１０の中央の下部に設けることも可能である。また、液晶パネル１１の湾曲が強い場合には、本体部１０をスタンド２０なしで自立させるようにすることも可能である。図２において向かって左側のスタンド２０Ａと、右側のスタンド２０Ｂとは、分離されていてもよいし、連結されていてもよい。
【００２１】
図５は、図１に示した表示装置１から、前部外装部材１２および後部外装部材１４を取り外して、背面側から見た構成を表したものである。後部外装部材１４の内側には、板部材４０および枠部材５０が配置されている。板部材４０および枠部材５０の詳細については後述する。
【００２２】
本体部１０の左右端（液晶パネル１１の左右）には、スピーカ１５が配置されている。このようにスピーカ１５を本体部１０の左右端に配置することにより、映像と音とが視覚的に分離なく一体化し、上述した液晶パネル１１の湾曲による遠近法の視覚効果と相俟って、一体感・没入感を更に強めることが可能となる。
【００２３】
スピーカ１５は、液晶パネル１１の左右から板部材４０の背後に張り出していることが好ましい。これによりスピーカ１５の容量を確保し、出力増大や音質向上が可能となる。なお、後部外装部材１４の外面は、液晶パネル１１と同様の湾曲形状を有していてもよいが、例えば図２に示したように、平坦面とされていることが好ましい。これにより、板部材４０と後部外装部材１４との間に広い空間が形成され、この空間にスピーカ１５を回り込み配置することにより、スピーカ１５の容量を大きくすることが可能となる。
【００２４】
板部材４０の背面には、ソース基板，タイミングコントローラ基板，バックライト光源を制御するバランサー基板などの基板類６０が実装されている。
【００２５】
図６は、図５に示した板部材４０および枠部材５０を背面側から見た構成を表したものである。図７は、枠部材５０，板部材４０および液晶パネル１１を真上から見た構成を表したものである。板部材４０は、金属または樹脂よりなる可撓性の板により構成され、対向する第１面（背面）４０Ａおよび第２面（前面）４０Ｂを有している。板部材４０の第１面４０Ａには、枠部材５０が設けられている。枠部材５０は、板部材４０の第１面４０Ａにおいて一方向（Ｘ方向）に延在している。板部材４０の第２面４０Ｂには、上述した可撓性の液晶パネル１１が配置されている。これにより、この表示装置１では、液晶パネル１１を所望の形状にすることが可能となっている。
【００２６】
図８は、図６に示した枠部材５０を前方（板部材４０に取り付けられる側）から見た構成を表したものである。枠部材５０は、例えば、平行な上面部５１および下面部５２と、上面部５１および下面部５２を繋ぐ側面部５３とからなる、矩形筒の三面をなす形状を有している。上面部５１および下面部５２の辺５１Ａ，５２Ａが、板部材４０に対向している。側面部５３には、板部材４０への固定のためのねじ孔５４が設けられると共に、必要に応じて、壁掛けブラケット（図示せず）取り付けのためのＶＥＳＡ（Video Electronics Standard Association）穴５５が設けられている（図８には図示せず、図５および図６参照。）。
【００２７】
図９は、図８に示した枠部材５０を真上から（上面部５１側から）見た構成を表したものである。ちなみに、枠部材５０を真下から（下面部５２側から）見た構成も、図９と同じである。枠部材５０の板部材４０に対向する辺５１Ａ，５２Ａは、枠部材５０の延在方向（Ｘ方向）において一次元方向に円弧状に湾曲した形状を有している。具体的には、辺５１Ａ，５２Ａは、後方（側面部５３側）に凸に湾曲している。
【００２８】
板部材４０は、図７に示したように、枠部材５０の延在方向（Ｘ方向）において、枠部材５０の板部材４０に対向する辺５１Ａ，５２Ａと同じ形状を有している。すなわち、板部材４０は、辺５１Ａ，５２Ａに沿って、枠部材５０の延在方向（Ｘ方向）において一次元方向に円弧状に湾曲した形状を有し、具体的には、後方（第１面４０Ａ側）に凸に湾曲している。液晶パネル１１は、板部材４０と同じ形状を有している。
【００２９】
枠部材５０は、図６に示したように、板部材４０の上辺近傍および下辺近傍と、その中間と、合計三本設けられているが、これら三本の枠部材５０の板部材４０に対向する辺５１Ａ，５２Ａの形状は同一であることが望ましい。このようにすることにより、液晶パネル１１の湾曲形状を、Ｙ方向において一様にすることが可能となる。従って、液晶パネル１１がＸ方向およびＹ方向の二次元方向に湾曲してしまうおそれが小さくなり、局所的なひねりに起因する液晶パネル１１の損傷や表示不良を抑えることが可能となる。
【００３０】
枠部材５０の側面部５３の左右部５３Ａ，５３Ｂは、図９に示したように、前方（辺５１Ａ，５２Ａ側）に屈曲していることが望ましい。これにより、枠部材５０と後部外装部材１４との間に広い空間が形成され、この空間にスピーカ１５を回り込み配置することにより、スピーカ１５の容量を大きくすることが可能となる。
【００３１】
図１０は、図６に示した板部材４０を第１面（背面）４０Ａ側から見た構成を表したものである。板部材４０は、上述したように、可撓性の金属板または樹脂板により構成されている。板部材４０の材料および厚みは、板部材４０が可撓性を有するように調整されていれば特に限定されないが、例えば、厚みが０．２ｍｍ以上３ｍｍ以下であり、鉄，アルミニウム，ガラス，樹脂などにより構成されている。
【００３２】
板部材４０は、第１の凸条４１を有している。第１の凸条４１は、例えば板部材４０の絞り加工により形成された直線状の隆起部であり、枠部材５０の延在方向（Ｘ方向）とは異なる方向、具体的には、枠部材５０の延在方向に直交する方向（Ｙ方向）に伸びている。この第１の凸条４１は、枠部材５０によって作られた板部材４０のＸ方向の湾曲形状を保持する補強構造としての機能を有するものである。すなわち、第１の凸条４１を設けることにより、第１の凸条４１の伸びる方向（Ｙ方向）における板部材４０の剛性が高くなるので、板部材４０のＸ方向の湾曲形状が崩れるおそれが小さくなる。
【００３３】
第１の凸条４１は、枠部材５０の延在方向（Ｘ方向）の両端部に設けられていることが好ましい。具体的には、枠部材５０は板部材４０の左辺から右辺までＸ方向の全体にわたって設けられているので、第１の凸条４１は、板部材４０の左辺および右辺に沿って設けられていることが好ましい。これにより、枠部材５０の延在方向（Ｘ方向）両端部における板部材４０の剛性を高め、より高い補強効果を得ることが可能となる。なお、第１の凸条４１は、必ずしも板部材４０の両端（左右辺）ではなく、左右辺よりも中央寄りに設けることも可能である。また、第１の凸条４１は、板部材４０の左辺および右辺の二ヶ所に限らず、枠部材５０の延在方向（Ｘ方向）における少なくとも一ケ所に設けられていればよい。
【００３４】
板部材４０は、また、互いに平行な複数の第２の凸条４２を有している。第２の凸条４２は、例えば板部材４０の絞り加工により形成された直線状の隆起部であり、枠部材５０の延在方向（Ｘ方向）とは異なる方向、具体的には、枠部材５０の延在方向に直交する方向（Ｙ方向）に伸びると共に、枠部材５０の延在方向（Ｘ方向）に配列されている。第２の凸条４２を設けることにより、板部材４０は、第２の凸条４２の配列方向（Ｘ方向）に沿って、例えば図１１における矢印Ａ１方向には容易に曲げられるが、それ以外の方向、例えば図１１における矢印Ａ２方向には曲がりにくくなり、板部材４０の湾曲形状を良好に保持することが可能となる。よって、第１の凸条４１と第２の凸条４２との併用により、第１の凸条４１の補強構造としての機能をより高めることが可能となる。
【００３５】
板部材４０には、枠部材５０の固定用のボス４３が設けられている。ボス４３は、例えば第２の凸条４２上に取り付けられている。枠部材５０の側面部５３のねじ孔５４は、枠部材５０上のボス４３に対応する位置に設けられていることは言うまでもない。ただし、ボス４３およびねじ孔５４の位置は特に限定されず、第２の凸条４２上以外の位置に設けられていてもよい。ボス４３およびねじ孔５４の数も特に限定されないが、数を多くしたほうが滑らかな湾曲形状を形成することが可能となる。なお、ボス４３の高さは、枠部材５０の寸法・形状（上面部５１および下面部５２の幅、側面部５３の左右部５３Ａ，５３Ｂの屈曲など）に応じて調整されていることが望ましい。
【００３６】
なお、図８および図９に示した枠部材５０の上面部５１および下面部５２には、第１の凸条４１および第２の凸条４２との干渉を避けるため、逃げ溝５６が設けられていることが望ましい。
【００３７】
図１２は、図１０に示した第１の凸条４１近傍における液晶パネル１１の内部構成を表したものであり、Ｘ方向に平行な断面を表している。導光板３５の左右の側面には、液晶パネル１１を照明する光源３７が設けられている。光源３７は、例えばＬＥＤ（Light Emitting Diode；発光ダイオード）または半導体レーザにより構成され、パッケージ（図示せず）内に封止されると共に光源基板３８に実装されており、導光板３５の光入射面３５Ａに対向配置されている。光源基板３８は、放熱板３９上に設けられている。放熱板３９は、光源３７からの発熱を放散させるものであり、アルミニウム（Ａｌ）などの金属板により構成されている。
【００３８】
放熱板３９は、枠部材５０の延在方向（Ｘ方向）とは異なる方向、具体的には、枠部材５０の延在方向に直交する方向（Ｙ方向）に伸設されている。また、放熱板３９は、厚みが２ｍｍ程度の金属板であり、高い強度を有している。従って、放熱板３９は、上述した放熱機能に加えて、第１の凸条４１と同様に補強構造としての機能を併せ持つことが可能である。すなわち、放熱板３９を設けることにより、放熱板３９の伸びる方向（Ｙ方向）における板部材４０の剛性を補うことが可能となり、板部材４０のＸ方向の湾曲形状が崩れるおそれが小さくなる。
【００３９】
このような補強構造を兼ねる放熱板３９は、枠部材５０の延在方向（Ｘ方向）の両端部に設けられていることが好ましい。具体的には、枠部材５０は板部材４０の左辺から右辺までＸ方向の全体にわたって設けられているので、放熱板３９は、板部材４０の左辺および右辺に沿って設けられていることが好ましい。これにより、枠部材５０の延在方向（Ｘ方向）両端部における板部材４０の剛性を高め、より高い補強効果を得ることが可能となる。
【００４０】
特に、放熱板３９を第１の凸条４１の裏側の凹部４１Ａ内に配置することにより、放熱板３９と第１の凸条４１との相乗効果で、上述した補強機能をより高めることが可能となる。
【００４１】
なお、放熱板３９は、必ずしも板部材４０の両端（左右辺）ではなく、左右辺よりも中央寄りに設けることも可能である。また、放熱板３９は、板部材４０の左辺および右辺の二ヶ所に限らず、枠部材５０の延在方向（Ｘ方向）における少なくとも一ケ所に設けられていればよい。
【００４２】
この表示装置１は、例えば、次のようにして製造することができる。
【００４３】
まず、板部材４０の第１面４０Ａに枠部材５０をねじ固定する。ここで、板部材４０は可撓性を有しているので、板部材４０の形状は、枠部材５０の板部材４０に対向する辺５１Ａ，５２Ａの形状により規定される。すなわち、辺５１Ａ，５２Ａは、枠部材５０の延在方向（Ｘ方向）において円弧状に湾曲した形状を有しているので、板部材５０の形状もこれに従って円弧状に湾曲した形状となる。
【００４４】
従って、例えば、複数種類の枠部材５０を用意し、それぞれの枠部材５０の板部材４０に対向する辺５１Ａ，５２Ａの湾曲形状を異ならせる。これにより、意図する液晶パネル１１の湾曲形状に応じて枠部材５０を交換するだけで、所望の湾曲形状を有する液晶パネル１１を容易に製造することが可能となる。
【００４５】
次いで、板部材４０の第２面４０Ｂにおいて、第１の凸条４１の裏側の凹部４１Ａ内に放熱板３９，光源基板３８および光源３７を配置する。また、板部材４０の第２面４０Ｂに反射シート３６，導光板３５および光学シート３４を載せる。続いて、板部材４０の第２面４０Ｂの周縁部に中間筐体３３を載せ、中間筐体３３に液晶セル３２を嵌め込み、液晶セル３２の前面周縁部に前部筐体３１を取り付ける。これにより、板部材４０の第２面４０Ｂに、液晶パネル１１が形成される。
【００４６】
ここで、液晶パネル１１の主要な構成要素（枠状部品および基板類を除く）、すなわち液晶セル３２，光学シート３４，導光板３５および反射板３６は、いずれもガラスまたは樹脂よりなる薄い板状またはシート状の可撓性部材により構成されており、液晶パネル１１は全体として可撓性を有している。従って、液晶パネル１１は、板部材４０に倣って円弧状に湾曲した形状となる。
【００４７】
液晶パネル１１を形成したのち、前部筐体３１にスピーカ１５を取り付け、板部材４０の第１面４０Ａに基板類６０を実装する。そののち、スピーカ１５を前部外装部材１２で遮蔽し、液晶パネル１１および前部外装部材１２の上下辺に化粧部材１３を被せる。これにより、本体部１０が形成される。そののち、本体部１０の背面を後部外装部材１４で被覆し、本体部１０の左右の下部にスタンド２０を取り付ける。以上により、図１に示した表示装置１が完成する。
【００４８】
この表示装置１では、光源３７からの光が液晶パネル１１により選択的に透過されることにより、画像表示が行われる。ここでは、液晶パネル１１が一次元方向（Ｘ方向）に後方（背面側）に凸に円弧状に湾曲しているので、図１３に示したように、液晶パネル１１を前方正面から見たときの形状において、中央部が左右部よりもゆるやかに細くなる。よって、遠近法の視覚効果により一体感・没入感を生み出すことが可能となる。
【００４９】
また、液晶パネル１１の左右にスピーカ１５が配置されているので、映像と音とが視覚的に分離なく一体化し、上述した液晶パネル１１の湾曲による遠近法の視覚効果と相俟って、一体感・没入感を更に強めることが可能となる。
【００５０】
このように本実施の形態では、可撓性の板部材４０の第１面４０Ａに、一方向（Ｘ方向）に延在する枠部材５０を設け、板部材４０の第２面４０Ｂ側に、可撓性の液晶パネル１１を配置するようにしている。よって、枠部材５０の板部材４０に対向する辺５１Ａ，５２Ａの形状を調整することにより、板部材４０および液晶パネル１１を所望の形状にすることが可能となる。
【００５１】
（変形例１）
次に、板部材４０および液晶パネル１１の形状を可変とする構成について説明する。例えば、複数種類の枠部材５０を用意し、それぞれの枠部材５０の板部材４０に対向する辺５１Ａ，５２Ａの形状を異ならせる。これにより、意図する液晶パネル１１の形状に応じて枠部材５０を交換するだけで液晶パネル１１の形状を容易に変更することが可能となる。
【００５２】
更に、枠部材５０に可変機構を設け、ねじ等により手動で、またはモータ等により自動で枠部材５０を変形させ、これに伴って板部材４０および液晶パネル１１の形状を変更させるようにすることも可能である。このようにすれば、ユーザが液晶パネル１１の形状を容易に変更し、視聴する映像や環境に応じて画面形状を使い分けることが可能となる。
【００５３】
枠部材５０，板部材４０および液晶パネル１１の形状の変形例としては、具体的には、以下のようなものが考えられる。
【００５４】
例えば、上記実施の形態では、枠部材５０，板部材４０および液晶パネル１１が、図７に示したようにＸ方向の全部において湾曲している場合について説明した。しかしながら、枠部材５０，板部材４０および液晶パネル１１は、図１４に示したようにＸ方向の一部において湾曲（例えば中央部７１は平坦、左右部７２，７３は湾曲）していてもよい。
【００５５】
また、上記実施の形態では、枠部材５０，板部材４０および液晶パネル１１が一様に（一定の曲率で）湾曲している場合について説明した。しかしながら、枠部材５０，板部材４０および液晶パネル１１は、Ｘ方向において局所的に異なる曲率を有していてもよい。つまり、枠部材５０，板部材４０および液晶パネル１１は、図１５に示したように、変曲点７４を境として、中央部７１は弱く、左右部７２，７３は強く湾曲していてもよい。
【００５６】
図１４および図１５に示した例では、例えば、アスペクト比４：３の画像を表示する場合には平坦または湾曲の弱い中央部７１を使用する。一方、アスペクト比１６：９の画像を表示する場合には、湾曲の強い左右部７２，７３も含めた表示画面全体を使用することにより奥行き感を生じさせることが可能となる。
【００５７】
更に、上記実施の形態では、枠部材５０，板部材４０および液晶パネル１１が湾曲形状を有している場合について説明した。しかしながら、枠部材５０，板部材４０および液晶パネル１１は、Ｘ方向において多角形の一部をなす形状（複数の平坦面を繋いだ形状）を有していてもよい。例えば、枠部材５０，板部材４０および液晶パネル１１は、図１６に示したように、屈曲点７５を境として中央部７１と左右部７２，７３とに分かれており、中央部７１はＺ方向に向いており、左右部７２，７３は中央部７１に対して傾斜していてもよい。
【００５８】
あるいは、枠部材５０，板部材４０および液晶パネル１１は、図１７に示したように、Ｘ方向において一つの平坦面をなしていてもよい。
【００５９】
加えて、上記実施の形態では、枠部材５０，板部材４０および液晶パネル１１が、図７に示したように後方（背面側）に凸に湾曲している場合について説明した。しかしながら、枠部材５０，板部材４０および液晶パネル１１は、図１８に示したように前方（前面側）に凸に湾曲していてもよい。
【００６０】
なお、枠部材５０，板部材４０および液晶パネル１１の形状の変形例は、図１４ないし図１８に示したものに限られないことは言うまでもない。また、上記実施の形態および上記変形例を適宜組み合わせた形状とすることも可能である。
【００６１】
（変形例２）
図１９は、変形例２に係る表示装置２の本体部１０の中央部における内部構成を表したものであり、Ｙ方向に平行な断面を表している。本変形例の表示装置２は、本体部１０が、表示体として、液晶パネル１１に代えて有機ＥＬ（Electroluminescence）パネル８１を有していることを除いては、上記実施の形態の表示装置１と同様の構成を有している。よって、対応する構成要素には同一の符号を付して説明する。
【００６２】
有機ＥＬパネル８１は、Ｚ方向前方から後方に向かって、前部筐体（トップシャーシ）８２，有機ＥＬセル８３を、この順に有している。
【００６３】
前部筐体８２は、有機ＥＬパネル８１の前面周縁部を覆う枠状の金属部品である。有機ＥＬセル８３は、例えば、ガラス等の基板８３Ａに有機ＥＬ素子（図示せず）を設け、ガラス等の基板８３Ｂで封止した構成を有している。有機ＥＬセル８３は、例えばソースドライバ、ソース基板８３Ｄを備えている。
【００６４】
有機ＥＬパネル８１の主要な構成要素（枠状部品および基板類を除く）は有機ＥＬセル８３のみである。有機ＥＬセル８３は、ガラスまたは樹脂よりなる薄い板状またはシート状の可撓性部材により構成されている。従って、本実施の形態では、液晶パネル１１を用いた上記実施の形態に比べて、有機ＥＬセル８３の可撓性が更に向上しており、上記実施の形態の効果を更に高めることが可能となっている。
【００６５】
本体部１０の前部外装部材１２，化粧部材１３，後部外装部材１４，スピーカ１５は、第１の実施の形態と同様に構成されている。スタンド２０，板部材４０，枠部材５０および基板類６０は、第１の実施の形態と同様に構成されている。
【００６６】
この表示装置２は、液晶パネル１１に代えて有機ＥＬパネル８１を設けることを除いては、上記実施の形態と同様にして製造することができる。また、この表示装置２の作用は、上記実施の形態と同様である。
【００６７】
以上、実施の形態を挙げて本開示を説明したが、本開示は上記実施の形態に限定されるものではなく、種々の変形が可能である。
【００６８】
例えば、板部材４０および枠部材５０は、図８ないし図１０に示した例に限らず、他の構成を有していてもよい。例えば、枠部材５０は、短冊状の一枚の板により構成することも可能である。その場合は、板部材４０の形状は、枠部材５０の板部材４０に対向する面の形状により規定され、液晶パネル１１は、板部材４０に倣った形状を有することになる。また、枠部材５０の数や配置は、図６に示した例に限られるものではない。
【００６９】
また、上記実施の形態では、板部材４０が液晶パネル１１と同じ大きさを有し、枠部材５０が板部材４０の左端から右端までＸ方向の全体にわたって延在している場合について説明した。しかしながら、板部材４０は、必ずしも液晶パネル１１と同じ大きさでなくてもよく、例えば液晶パネル１１よりも大きくてもよい。また、枠部材５０は、必ずしも板部材４０のＸ方向の全体にわたって延在している必要はなく、例えばＸ方向の一部に延在していることも可能である。その場合には、板部材４０の第１の凸条４１は、枠部材５０の延在方向の両端部に設けられていればよい。
【００７０】
また、上記実施の形態では、枠部材５０の側面部５３の左右部５３Ａ，５３Ｂが、図９に示したように、板部材４０側に屈曲している場合について説明した。しかしながら、枠部材５０の側面部５３は、図２０および図２１に示したように、一様な平坦面であってもよい。
【００７１】
更に、例えば、板部材４０および枠部材５０の固定は、図１０に示したようなボス４３を用いず、他の方法により行うことも可能である。
【００７２】
加えて、上記実施の形態では、放熱板３９が補強構造を兼ねている場合について説明したが、放熱板３９とは別に、補強板を設けることも可能である。このような補強板は、放熱板３９と同様の材料により構成することが可能である。
【００７３】
更にまた、上記実施の形態では、光源３７が導光板３５の左右辺に配置されている場合について説明したが、光源３７の位置はこれに限られず、導光板３５の上下辺、また、左右辺のいずれか一方あるいは上下辺のいずれか一方でもよい。更に、導光板３５を用いず、直下型の光源３７を設けることも可能である。
【００７４】
加えてまた、例えば、上記実施の形態において説明した各層の材料および厚みなどは限定されるものではなく、他の材料および厚みとしてもよい。
【００７５】
更にまた、例えば、上記実施の形態において表示装置１，２（テレビジョン装置）の構成を具体的に挙げて説明したが、全ての構成要素を備える必要はなく、また、他の構成要素を更に備えていてもよい。
【００７６】
本開示は、上記実施の形態で説明したテレビジョン装置のほか、ＰＣ（Personal Computer）のモニター、パブリックディスプレイなど、外部から入力された映像信号あるいは内部で生成した映像信号を、画像あるいは映像として表示するあらゆる分野の電子機器に広く適用することが可能である。
【００７７】
なお、本技術は以下のような構成を取ることも可能である。
（１）
対向する第１面および第２面を有する可撓性の板部材と、
前記板部材の第１面に設けられ、前記第１面において一方向に延在する枠部材と、
前記板部材の第２面側に配置された可撓性の表示体と
を備えた表示装置。
（２）
前記枠部材の延在方向とは異なる方向に伸設された補強構造を備えた
前記（１）記載の表示装置。
（３）
前記補強構造は、前記枠部材の延在方向の両端部に配置されている
前記（２）記載の表示装置。
（４）
前記板部材は、前記補強構造として、前記枠部材の延在方向とは異なる方向に伸びる第１の凸条を有する
前記（２）または（３）記載の表示装置。
（５）
前記表示体は、液晶パネルと、前記液晶パネルを照明する光源と、前記光源の近傍の放熱板とを有し、
前記放熱板は、前記補強構造を兼ねている
前記（２）ないし（４）のいずれか１項に記載の表示装置。
（６）
前記板部材は、前記枠部材の延在方向において、前記枠部材の前記板部材に対向する辺または面の形状と同じ形状を有し、
前記表示体は、前記板部材と同じ形状を有している
前記（１）ないし（５）のいずれか１項に記載の表示装置。
（７）
前記枠部材の前記板部材に対向する辺または面は、前記枠部材の延在方向において全部または一部が湾曲している
前記（６）記載の表示装置。
（８）
前記枠部材の前記板部材に対向する辺または面は、前記枠部材の延在方向において局所的に曲率が異なる
前記（７）記載の表示装置。
（９）
前記枠部材の前記板部材に対向する辺または面は、前記枠部材の延在方向において多角形の一部をなす形状を有している
前記（６）記載の表示装置。
（１０）
前記板部材は、互いに平行な複数の第２の凸条を有し、前記複数の第２の凸条は、前記枠部材の延在方向とは異なる方向に伸びると共に、前記枠部材の延在方向に配列されている
前記（１）ないし（９）のいずれか１項に記載の表示装置。
【符号の説明】
【００７８】
１…表示装置、１０…本体部、１１…液晶パネル、１２…前部外装部材、１３…化粧部材、１４…後部外装部材、１５…スピーカ、２０，２０Ａ，２０Ｂ…スタンド、３１…前部筐体、３２…液晶セル、３３…中間筐体、３４…光学シート、３５…導光板、３６…反射シート、３７…光源、３８…光源基板、３９…放熱板、４０…板部材、４１…第１の凸条、４２…第２の凸条、４３…ボス、５０…枠部材、５１…上面部、５２…下面部、５３…側面部、５１Ａ，５２Ａ…辺、５４…ねじ孔、５５…ＶＥＳＡ穴、５６…逃げ溝、６０…基板類、７１…中央部、７２，７３…左右部、８１…有機ＥＬパネル、８２…前部筐体、８３…有機ＥＬセル。
【図１】
2013257385.tif 000003
【図２】
2013257385.tif 000004
【図３】
2013257385.tif 000005
【図４】
2013257385.tif 000006
【図５】
2013257385.tif 000007
【図６】
2013257385.tif 000008
【図７】
2013257385.tif 000009
【図８】
2013257385.tif 000010
【図９】
2013257385.tif 000011
【図１０】
2013257385.tif 000012
【図１１】
2013257385.tif 000013
【図１２】
2013257385.tif 000014
【図１３】
2013257385.tif 000015
【図１４】
2013257385.tif 000016
【図１５】
2013257385.tif 000017
【図１６】
2013257385.tif 000018
【図１７】
2013257385.tif 000019
【図１８】
2013257385.tif 000020
【図１９】
2013257385.tif 000021
【図２０】
2013257385.tif 000022
【図２１】
2013257385.tif 000023